(57)【特許請求の範囲】
【請求項１】
(イ)内部に吐止水制御のための弁ユニットを収容する上端が開口形状の筒状のハウジングと、(ロ)該ハウジングの上端部に結合されるハウジングキャップと、(ハ)それらハウジング及びハウジングキャップを外側から覆って隠蔽する筒状の化粧カバーとを有し、該化粧カバーの上部であって前記ハウジングキャップに対応する位置の内面に薄肉のカバー固定用リブが縦向きに突出形成される一方、前記ハウジングキャップの外周面には該カバー固定用リブと弾性嵌合する嵌合面が形成され、該化粧カバーの前記ハウジングキャップへの圧入時にそれらカバー固定用リブと嵌合面とが強制嵌合して該化粧カバーが該ハウジングに固定されるようになしてあることを特徴とする化粧カバー付水栓。
【請求項２】
請求項１において、前記ハウジングが該ハウジングの内側に水路の一部を直接形成する水路形成部材を成しており、且つ該ハウジングが樹脂成形品とされていて外周面全体に補強用リブが形成されていることを特徴とする化粧カバー付水栓。
【請求項３】
請求項１，２の何れかにおいて、前記ハウジングには上下中間位置において前記弁ユニットから流出した水を分岐させる筒状の分岐口が側方に突出する状態で設けられている一方、前記化粧カバーには該分岐口との干渉回避のための下端が開放形状の切欠きが形成されており、それら分岐口及び切欠きの上側位置において前記カバー固定用リブと嵌合面との嵌合により化粧カバーがハウジングに固定されるようになしてあることを特徴とする化粧カバー付水栓。
【請求項４】
請求項３において、前記ハウジングには前記化粧カバーの切欠きと嵌まりあって該切欠きを埋める、該切欠きに対応した形状の平板部が形成してあることを特徴とする化粧カバー付水栓。
【発明の詳細な説明】
【０００１】
【発明の属する技術分野】
この発明は水栓に関し、詳しくは吐止水を制御する弁ユニットを内蔵したハウジングを外側から覆う化粧カバーを備えた水栓に関する。
【０００２】
【発明の背景】
従来、シングルレバー式の水栓にあってはハウジングの内側にカートリッジ式の弁ユニットを内蔵し、その弁ユニットに対しシングルレバー式の操作部を作動的に連結する一方、ハウジングに化粧カバーを兼用させて、その化粧カバー兼用のハウジングを弁ユニットにおける弁ケースに直接圧入固定するようにしていた。
【０００３】
図３２〜図３４はこの種シングルレバー式水栓の従来の一例を示している。
図３２において、３００は取付基体としてのカウンターで、このカウンター３００の互いに離隔した位置に水栓本体３０２と吐水部３０４とが設けられている。
水栓本体３０２は、その内部に吐止水を制御する後述の弁ユニット３３４（図３３参照）を収容しており、またその上部には弁ユニット３３４に作動的に連結されて、吐止水の制御及び吐水の温度調節を行うための操作部（この例ではシングルレバー式の操作部）３０６が設けられている。
【０００４】
３０８はその弁ユニット３３４に対し水，湯を流入させるための流入管（接続管）で、上端部が水栓本体３０２に接続されている。
ここで流入管３０８は可撓管から成っており、その下端部が止水栓３０９を介して元配管に接続されている。
【０００５】
３１０は弁ユニット３３４からの混合水を流出させる流出管（接続管）であって、この例では流出管３１０は銅管から成っており、その上端部が水栓本体３０２に溶接接合により接続されている。
この銅管から成る流出管３１０の下端部には、これよりも大径の連結金具３１１が装着されており、この連結金具３１１を介して可撓性のホース３１２の一端部が流出管３１０に連結されている。
【０００６】
一方吐水部３０４は、ホース３１２とともに収納位置から引出可能な吐水ヘッド３１４と、これを保持するホルダ３１６とを有している。
ホルダ３１６は管状をなしており、その内部をホース３１２が挿通して吐水ヘッド３１４に接続されている。
【０００７】
この例において、吐水部３０４はその全体がスライド管３１８のスライド移動を伴って上昇位置と下降位置との間で上下に移動可能となしてある。
吐水ヘッド３１４はその先端下面に吐水口３２０を有しており、ホース３１２を通じて導かれた混合水をその吐水口３２０から外部に吐水する。
【０００８】
図３３は水栓本体３０２の内部構造をその周辺部とともに示したものである。
同図において３２２は化粧カバーを兼用した円筒形状をなすハウジングで、３２４は底部、３２６はその底部３２４から下向きに延び出した取付穴挿通部である。
【０００９】
取付穴挿通部３２６は、カウンター３００の取付穴３２８を挿通してその先端部がカウンター３００の裏側まで突き出しており、その外周面に形成された雄ねじへの固定ナット３３０のねじ込みによって、三角パッキン３３２を介しカウンター３００に取付固定されている。
即ち取付穴挿通部３２６への固定ナット３３０のねじ込みによって、水栓本体３０２が三角パッキン３３２を介しカウンター３００に取付固定されている。
ここで底部３２４と取付穴挿通部３２６とは、図３４にも示しているように金属にて一体に形成され、金属ボデー３５８を成している。
【００１０】
ハウジング３２２の内部且つ底部３２４上にはカートリッジ式の弁ユニット３３４が配設されている。
そしてその弁ユニット３３４に対し、操作部３０６が作用アーム３３６を介して作動的に連結されている。
【００１１】
詳しくは、この弁ユニット３３４はセラミックディスクから成る固定弁体３３８と、その上面を摺動するセラミックディスクを構成部材として含んだ可動弁体３４０とを有しており、その可動弁体３４０に対し作用アーム３３６が作動的に連結されている。
そして操作部３０６の操作により可動弁体３４０が固定弁体３３８の上面を摺動することで、吐止水の制御及び吐水の温度調節が行われる。
【００１２】
この例においては、底部３２４と弁ユニット３３４とで囲まれた空間内において、固定弁体３３８に水，湯の流入開口３４２と混合水の流出開口３４６とが形成され、また可動弁体３４０にそれら流入開口３４２から流入した水，湯を混合して流出開口３４６に流出させる混合室３４４が形成され、そして弁ユニット３３４全体が、これに上側から挿通された長寸ボルト３４８により底部３２４上に締結固定されている。
即ちこの例では、ハウジング３２２は水路を形成する部材としては構成されていない。
【００１３】
上記底部３２４及び取付穴挿通部３２６を一体に有する金属ボデー３５８には、流入管３０８から流入した水，湯を流通させる流入通路３５０と、混合水を流出させる流出通路３５２とが形成されている。それら流入通路３５０，流出通路３５２の上端部はそれぞれ流入口３５１，流出口３５３とされており、またそれぞれの下端部には、それら流入通路３５０，流出通路３５２に連通する状態で挿入孔３５４，３５６が形成されている。
而して挿入孔３５４には可撓管から成る流入管３０８の上端部の金具が挿入された上、ねじ結合により取付穴挿通部３２６の下端部に接続されている。
また一方、挿入孔３５６には上記銅管から成る流出管３１０の上端部が挿入された上、溶接接合により取付穴挿通部３２６の下端部に接続されている。
【００１４】
【発明が解決しようとする課題】
しかしながら上記水栓はコストが高いといった問題があり、そこでハウジングによって直接その内側に水路の一部を形成するとともに、これによって弁ユニットの構造を簡素化，コンパクト化し更にそのハウジングを樹脂化することが構想されている。
【００１５】
この場合、樹脂製のハウジングに耐圧強度を与えることが必要となって、そのためにハウジングの外周面全体に補強リブを形成するといったことが考えられる。
【００１６】
但しそのようにするとハウジングの外観が悪化するため、別途に筒状の化粧カバーを設けて、この化粧カバーによりハウジングの全体を包み込むようにすることが考えられる。
【００１７】
しかしながらこのようにすると、従来の水栓のように化粧カバーを弁ユニットに固定するといったことができなくなることから、その固定の手段が問題となる。
【００１８】
【課題を解決するための手段】
本発明の化粧カバー付水栓はこのような課題を解決するために案出されたものである。
而して請求項１のものは、(イ)内部に吐止水制御のための弁ユニットを収容する上端が開口形状の筒状のハウジングと、(ロ)該ハウジングの上端部に結合されるハウジングキャップと、(ハ)それらハウジング及びハウジングキャップを外側から覆って隠蔽する筒状の化粧カバーとを有し、該化粧カバーの上部であって前記ハウジングキャップに対応する位置の内面に薄肉のカバー固定用リブが縦向きに突出形成される一方、前記ハウジングキャップの外周面には該カバー固定用リブと弾性嵌合する嵌合面が形成され、該化粧カバーの前記ハウジングキャップへの圧入時にそれらカバー固定用リブと嵌合面とが強制嵌合して該化粧カバーが該ハウジングに固定されるようになしてあることを特徴とする。
【００１９】
請求項２のものは、請求項１において、前記ハウジングが該ハウジングの内側に水路の一部を直接形成する水路形成部材を成しており、且つ該ハウジングが樹脂成形品とされていて外周面全体に補強用リブが形成されていることを特徴とする。
【００２０】
請求項３のものは、請求項１，２の何れかにおいて、前記ハウジングには上下中間位置において前記弁ユニットから流出した水を分岐させる筒状の分岐口が側方に突出する状態で設けられている一方、前記化粧カバーには該分岐口との干渉回避のための下端が開放形状の切欠きが形成されており、それら分岐口及び切欠きの上側位置において前記カバー固定用リブと嵌合面との嵌合により化粧カバーがハウジングに固定されるようになしてあることを特徴とする。
【００２１】
請求項４のものは、請求項３において、前記ハウジングには前記化粧カバーの切欠きと嵌まりあって該切欠きを埋める、該切欠きに対応した形状の平板部が形成してあることを特徴とする。
【００２２】
【作用及び発明の効果】
上記のように本発明の化粧カバー付水栓は、弁ユニットを内蔵したハウジングの更に外側に化粧カバーを配して、これをその内面に突出形成した薄肉のカバー固定用リブと、ハウジングキャップの外周面の嵌合面との弾性嵌合により固定するようになしたもので、本発明によれば化粧カバーをハウジングを覆う状態に簡単に且つ良好に固定することができる。
【００２３】
本発明は、化粧カバーをその上部においてハウジングの上端部に結合されるハウジングキャップに直接固定するものであることから、そのハウジングが樹脂製とされていて尚且つその内側に水路の一部を直接形成する水路形成部材をなしており、その外周面全体に補強用リブが形成されている場合においても、支障なくそのハウジングに対してハウジングキャップを介し化粧カバーを固定することができる(請求項２)。
即ち本発明はこのような形態のハウジングを有する水栓に適用して特に好適である。
【００２４】
次に請求項３のものは、ハウジングの上下中間位置から側方に突出する状態で筒状の分岐口が設けられている場合において、化粧カバーに下端が開放形状の切欠きを形成し、それら分岐口及び切欠きの上側位置において上記のカバー固定用リブと嵌合面との嵌合により化粧カバーをハウジングに固定するようになしたもので、この請求項３によれば、ハウジングに分岐口が設けられている場合においても支障なくハウジングに対し化粧カバーを良好に固定することができる。
【００２５】
またこのように化粧カバーに下端が開放形状の切欠きを設けた場合においても、本発明ではその化粧カバーを上部においてハウジングキャップに嵌合固定するようになしているため、例えば化粧カバーの下端部に固定用リブを設けてこれをハウジングに固定するようになした場合に較べて、化粧カバーの固定に際しその下部が広がった形状、即ち裾広がり形状となってしまうのを回避することができる。
【００２６】
この場合において、上記ハウジングに化粧カバーの切欠きと嵌り合ってその切欠きを埋める平板部を形成しておくことができる(請求項４)。
このようになした場合、化粧カバーに切欠きを設けた場合においても、その切欠きをハウジングに形成した平板部にて埋めることで化粧カバー取付状態での外観，美観を良好となすことができる。
【００２７】
【実施例】
次に本発明の実施例を図面に基づいて詳しく説明する。
図１において、１０は取付基体としてのカウンターで、このカウンター１０に対し互いに離隔した位置において水栓本体１２と吐水部１４とが設けられている。
吐水部１４は、吐水ヘッド１６とこれを保持するホルダ１８とを有しており、その吐水ヘッド１６がこれに接続された可撓性のホース２０とともに収納位置から引出可能とされている。
【００２８】
吐水ヘッド１６は、先端下面に吐水口２２を有しており、更にまたその前面に吐水をストレート吐水からシャワー吐水に若しくはその逆に切り替える切替操作部２４が設けられている。
この吐水部１４はまた、その全体がスライド管２６のスライド移動を伴って上昇位置と下降位置との間で上下に移動可能とされている。
【００２９】
水栓本体１２は、その内部に後述の弁ユニット５２（図２参照）を収容しており、また上部にはシングルレバー式の操作部２８が設けられていて、その操作部２８が弁ユニット５２に作動的に連結されている。
【００３０】
３０は水栓本体１２に水，湯を流入させるための流入管で、ここではこの流入管３０は可撓管にて構成されている。
３２は水栓本体１２から混合水を流出させる流出管で、ここではこの流出管３２は銅管から成っている。
この流出管３２の下端部には、これよりも大径の連結金具３４が溶接接合(ろう付)により装着されており、そしてこの連結金具３４を介して、上記ホース２０の端部が流出管３２の下端部に連結されている。
【００３１】
図２に水栓本体１２の内部構造がその周辺部とともに詳しく示してある。
同図に示しているように、水栓本体１２はカウンター１０に対し、そこに形成した取付穴３８において固定ナット４０により三角パッキン４２を介して取付固定されている。
【００３２】
４４は水栓本体１２の円筒形状をなすハウジングで、このハウジング４４の下端部から取付穴挿通部４６が下向きに延び出している。
これらハウジング４４及び取付穴挿通部４６は樹脂にて一体に成形されている。即ちこれらハウジング４４及び取付穴挿通部４６は、全体として樹脂成形品から成る樹脂ボデー４８を構成している。
【００３３】
図５に示しているように、取付穴挿通部４６の外周面には雄ねじが形成されている。
この取付穴挿通部４６は、取付穴３８を挿通してカウンター１０の裏側まで突き出しており、その突き出した部分の外周面の雄ねじに上記固定ナット４０が螺合され、取付穴挿通部４６がこの固定ナット４０により三角パッキン４２を介しカウンター１０に取付固定されている。
【００３４】
５０は、図２，図３に示しているように樹脂製のハウジング４４及び取付穴挿通部４６とは別体に構成された金属製の底部であって、この底部５０上且つハウジング４４で囲まれた内側の空間に、カートリッジ式の弁ユニット５２が配設されている。
弁ユニット５２は、図７にも示しているように弁ケースが上部５４と下部５６とに分かれていて、それらが上下に締結されており、図２に示すようにその内部にセラミックディスクから成る固定弁体５８と、その上面を摺動する摺動部分がセラミックディスクにて構成された可動弁体６０とが内蔵されている。
【００３５】
そしてその可動弁体６０に対し、上記操作部２８が作用アーム６２を介して作動的に連結されている。
この例の場合、操作部２８を上下に回動操作することで吐水及び水量調節と止水とが行われ、また左右に回動操作することで吐水の温度調節が行われる。
【００３６】
図５に示しているように、ハウジング４４の上端部外周面には雄ねじが形成されていて、そこに図８に示すハウジングキャップ（樹脂製）６４がねじ結合されている。
そしてこのハウジングキャップ６４のねじ込力によって、弁ユニット５２がハウジング４４内部において下向きに、つまり底部５０の上面に対して強く押し付けられている。
【００３７】
本例において、これらハウジング４４及びハウジングキャップ６４は、その外側から樹脂製の化粧カバー６６により覆われており、化粧カバー６６の内部に隠蔽状態とされている。
【００３８】
上記弁ユニット５２における固定弁体５８には水，湯を流入させるための流入開口６８と、混合水を流出させる流出開口７０とが形成されており、更に可動弁体６０には流入した水，湯を混合して流出開口７０へと流出させる混合室７２が形成されている。
【００３９】
この弁ユニット５２においては、図７に詳しく示しているように弁ケースの下部５６から下向きに一対の筒部７４が、それらの内部通路を上記水，湯の一対の流入開口６８にそれぞれ連通させる状態で下向きに突き出している。
これら筒部７４は、その内部通路を上記底部５０の流入口８６Ａに連通させる状態で、底部５０の上面に一定の押付力で当接させられている。
この弁ユニット５２における弁ケースの下部５６からはまた、脚７６が下向きに突き出していて、その下端が底部５０の上面に一定の押付力で当接させられている。
【００４０】
そしてこれら一対の筒部７４及び脚７６の当接作用によって、弁ユニット５２における弁ケースの下面と底部５０との間に、周囲をハウジング４４で囲まれた水室７８が形成されている。
この水室７８は、流出開口７０からの混合水を流出させる部分である。
即ちこの例では、ハウジング４４がその内側に水室７８、つまり水路を形成するための水路形成部材を成している。
【００４１】
尚、このハウジング４４の外周面には、図５に示しているように周方向及び軸方向に延びるリブ８０が形成されている。
またハウジング４４の下端部（図５（Ｃ）中下端部）にはフランジ部８２が形成されている。このフランジ部８２の外周面には、１８０°隔たる２箇所に平坦な切落し形状の位置決面８４が形成されている。
【００４２】
図６に示しているように、上記底部５０には弁ユニット５２に対し水，湯を流入させるための一対の流入通路８６と、弁ユニット５２からの混合水を流出させる流出通路８８とが形成されている。
これら流入通路８６及び流出通路８８の上端開口はそれぞれ流入口８６Ａ，流出口８８Ａとされている。
そしてその流入口８６Ａに内部通路を連通させるようにして、上記弁ユニット５２の一対の筒部７４が底部５０の上面に当接させられている。
ここで底部５０には、図２及び図６に示しているように段付部９０が設けられており、この段付部９０と、ハウジング４４に設けられた対応する段付部９２（図５参照）とによって、底部５０がハウジング４４により下方から支持されている。
【００４３】
底部５０にはまた、流入通路８６，流出通路８８に連通する状態で挿入孔９４，９６が形成されており、そして図３に示しているようにその挿入孔９４に、流入管３０の端部に装着された端部金具９８が挿入された上、ねじ接続されている。
また他方の挿入孔９６の内部に、銅管から成る流出管３２の上端部が挿入された上、溶接接合（ろう付）により接続固定されている。
【００４４】
本例において、底部５０には図６に示しているように１つの雌ねじ孔１００が設けられており、そこに樹脂ボデー４８における取付穴挿通部４６の下側から上向きに挿通された１本の長寸ボルト１０２の上端部がねじ込まれている。
底部５０は、この長寸ボルト１０２のねじ込力によって、図２に示しているようにその段付部９０をハウジング４４の対応する段付部９２に強く当接させる状態に取付穴挿通部４６に締結され、樹脂ボデー４８に対して固定されている。
【００４５】
図５に示しているように、樹脂ボデー４８における取付穴挿通部４６には、流入管３０及び流出管３２を挿通するための挿通孔１０４及び１０６が軸方向に貫通する状態で且つ中心部から偏心した位置に形成されている。
また挿通孔１０６に対し径方向に対向する位置においてボルト挿通孔１１０が形成されており、そこに上記長寸ボルト１０２が取付穴挿通部４６の下側から上向きに挿通されている。
【００４６】
この取付穴挿通部４６にはまた、その中心部に上記連結金具３４を軸方向に通過させるための通過孔（貫通孔）１０８が形成されており、この通過孔１０８によって、各挿通孔１０４，１０６及びボルト挿通孔１１０が互いに連続した１つの孔を成している。
【００４７】
ここで挿通孔１０４，１０６は内周面がほぼ半円形状をなしており、その半円形状の部分において流入管３０及び流出管３２の外周面に所定周長に亘り嵌り合って、これを径方向に拘束する拘束孔を成している。
また一方ボルト挿通孔１１０は、内周面がＣ字断面形状をなしており、同じく長寸ボルト１０２の外周面に嵌り合ってこれを径方向に拘束する拘束孔を成している。
【００４８】
図９に示しているように、上記化粧カバー６６にはその内面に回転方向の位置決用の長さの長い縦の位置決リブ１１２と、化粧カバー６６の固定用の長さの短い薄肉のカバー固定用リブ１１４とが突出状態で設けられている。
【００４９】
この長さの長い縦の位置決リブ１１２は、図４に示しているようにその下端部をハウジング４４におけるフランジ部８２の位置決面８４に係合させて、化粧カバー６６を回転方向に位置決めする作用をなす。
一方カバー固定用リブ１１４は、化粧カバー６６の上部且つ上記のハウジングキャップ６４に対応する位置に突出形成されている。
カバー固定用リブ１１４は、ハウジングキャップ６４の平滑な円形の外周面に所定の弾性力を持って嵌合し、化粧カバー６６をハウジングキャップ６６に、即ちかかるハウジングキャップ６４を介してハウジング４４に固定する作用をなす。
ここで本例では、ハウジングキャップ６４の全外周面が平滑な円形の嵌合面として形成されている。
【００５０】
尚このハウジングキャップ６４には、図８に示しているようにその上部に外周面が多角形状（この例では六角形状）の工具係合部１１５が設けられている。
ハウジングキャップ６４は、この工具係合部１１５に工具を掛けて回転操作され、ハウジング４４の上端部外周面の雄ねじにねじ込固定される。
【００５１】
次に本例の水栓の組付手順を図１０〜図１５に基づいて以下に説明する。
本例では、図１０に示しているように先ず銅管から成る流出管３２を金属製の底部５０に対し溶接接合し一体化しておく。
具体的には、その流出管３２の上端部を挿入孔９６に挿入した上でこれを底部５０に溶接（ろう付）にて接合し一体化しておく。
【００５２】
尚これに先立って、流出管３２の下端部にこれよりも大径の連結金具３４を同じく溶接（ろう付け）にて接合し装着しておく。
但しこの連結金具３４の装着は、流出管３２を底部５０に対し溶接接合した後において行うこともできる。
【００５３】
そしてこの状態で、図１１（Ｂ）に示しているように流出管３２を樹脂ボデー４８における取付穴挿通部４６に下向きに挿通するようにして、金属製の底部５０をハウジング４４の内部に上方から嵌め入れる。そして流出管３２を取付穴挿通部４６の挿通孔１０６に嵌め入れる。
尚このとき、取付穴挿通部４６には大径の通過孔１０８が形成されているため、流出管３２の端部に連結金具３４が装着されていても、支障なくこれを取付穴挿通部４６に挿通することができる。
【００５４】
その後、長寸ボルト１０２を取付穴挿通部４６の下側から上向きにボルト挿通孔１１０に挿通して、その上端部を底部５０の雌ねじ孔１００にねじ込み、これによって底部５０を樹脂ボデー４８に組付固定する。
図１１（Ａ）はこのときの状態を示している。
【００５５】
続いて図１２及び図１３に示しているように、弁ユニット５２をハウジング４４の内部に挿入してこれを底部５０の上に位置させ、続いてハウジングキャップ６４をハウジング４４の上端部にねじ込んで行く。このときのねじ込力によって、弁ユニット５２が底部５０上に一定の力で押し付けられた状態となる。
即ち弁ユニット５２が、ハウジング４４の内部に固定状態に組み付けられる。図１４はこのときの組付状態を示している。
【００５６】
続いて図１５に示しているように化粧カバー６６をハウジング４４及びハウジングキャップ６４に対し上側から被せ、そして位置決リブ１１２と位置決面８４との係合により化粧カバー６６の回転方向位置を定めるとともに、これを下向きに一定の力で押し込むことで、固定リブ１１４とハウジングキャップ６４との弾性的な嵌合により化粧カバー６６をハウジング４４及びハウジングキャップ６４に固定する。
またこれとともに取付穴挿通部４６の下方から一対の流入管３０の端部金具９８を挿入孔９４に挿入してねじ結合し、一対の流入管３０のそれぞれを底部５０に接続状態とする。
【００５７】
このように本例によれば、化粧カバー６６をハウジング４４を覆う状態に簡単に且つ良好に固定することができる。
【００５８】
次に本発明の他の実施例を図１６〜図３１に基づいて説明する。
尚これらの図において、上記実施例と同様のものについては符号のみを示して詳しい説明は省略する。
この例の水栓は、吐水ヘッド１６に接続されたホース２０がカウンター１０の表側において水栓本体１２から延び出したホース露出式のものである。
【００５９】
先ず図１６に示しているように、この例ではホルダ１８の水平部分がホース収容部１８Ａと、吐水ヘッド１６を保持するヘッド保持部１８Ｂとを有している。
これらホース収容部１８Ａ及びヘッド保持部１８ＢはそれぞれＵ字状をなしており、ホース収容部１８Ａに対しホース２０を上方からその内部に挿入し収容できるようになっている。
また吐水ヘッド１６の基端部の被保持部１６Ａを、ヘッド保持部１８Ｂに対し軸方向の先端から挿入することで、その被保持部１６Ａをヘッド保持部１８Ｂにて保持するようになっている。
【００６０】
本例ではまた、水栓本体１２に対し水，湯を流入させる流入管３０が何れも銅管から成っており、それぞれの上端部が水栓本体１２に接続されている。
また下端部には、流入管３０を配管に対し接続するためのソケット１１７が装着されている。
【００６１】
ここでソケット１１７の流入管３０への装着は、流入管３０の下端部をソケット１１７内部に挿入した状態で袋ナット１１６をソケット１１７にねじ込むことで行う。
即ちこれらソケット１１７は袋ナット１１６によって簡単に流入管３０の下端部に装着できるものである。
【００６２】
本例では、図１７及び図１８に示しているようにハウジング４４に、筒状をなす分岐口１１８が横向きに突出する状態且つ水室７８に連通する状態で一体に成形されており、そこにエルボ１２０が弾性クリップ１２２にて回転可能に接続されている。
【００６３】
詳しくは、図２０に示しているように分岐口１１８にはその外周面に環状溝１２４が設けられる一方、エルボ１２０には弾性クリップ１２２の装着口１２６が設けられ、そしてエルボ１２０を分岐口１１８に外嵌した状態で、その装着口１２６から弾性クリップ１２２を挿入して、一対の弾性を有する把持アーム１２８を分岐口１１８の環状溝１２４に嵌め合せることで、エルボ１２０が分岐口１１８に回転可能に接続されている。
【００６４】
そして本例では、このエルボ１２０の先端部に対し上記ホース２０の端部が連結具１２９（図１６参照）にて連結されている。
即ちこの例では、ホース２０がエルボ１２０を介し水栓本体１２からカウンター１０の表側において直接延び出している。
【００６５】
図２０及び図２１（Ｄ）に示しているように、本例ではハウジング４４の外面にＵ字状の平板部１３０が一体に成形されており、この平板部１３０から突き出すようにして上記分岐口１１８が一体に成形されている。
【００６６】
そしてこれに対応して、図２５に示しているように化粧カバー６６にはＵ字状の切欠き１３２が形成されており、化粧カバー６６をハウジング４４及びハウジングキャップ６４に対して上側から嵌め込んだときに、図１９に詳しく示しているようにこの切欠き１３２が、ハウジング４４のＵ字状の平板部１３０にほぼ隙間なく嵌り合うようになっている。
【００６７】
図２２に示しているように、本例ではホース２０がカウンター１０の裏側に収納されず、カウンター１０の表側に露出するホース露出式のものであることに基づいて、底部５０には一対の流入通路８６のみが設けられており、上記実施例のような流出通路８８は設けられていない。
そしてそれら一対の流入通路８６のそれぞれに連通するようにして挿入孔９４が底部５０に設けられており、それぞれに銅管から成る流入管３０の上端部が挿入された上、溶接（ろう付）によりそこに接合されている。
【００６８】
尚本例では、図２２に示しているように底部５０に雌ねじ孔１００が周方向に１８０°隔たった２箇所において設けられており、それぞれにおいて、長寸ボルト１０２により樹脂ボデー４８に対し組付固定されるようになっている。
【００６９】
図２１に示しているように、本例では取付穴挿通部４６に上記流入管３０を軸方向に挿通するための一対の挿通孔１０４と、長寸ボルト１０２を軸方向に挿通するための一対のボルト挿通孔１１０とが、それぞれ中心から偏心した位置に設けられている。
またこの取付穴挿通部４６には、中心部に軸方向に貫通する状態の貫通孔１３４が設けられており、その貫通孔１３４によって各挿通孔１０４及びボルト挿通孔１１０が互いに連続した１つの孔を成している。
【００７０】
図２７，図２８，図２９に示しているように、本例では取付穴挿通部４６の底面に金属製の円形のプレート１３６が配設されている。
ここで金属製のプレート１３６は、取付穴挿通部４６の底面外周部に形成された環状の突出部１３８の内側に嵌合状態で装着されている。
本例では、このプレート１３６を貫通して長寸ボルト１０２が上記底部５０の雌ねじ孔１００にねじ込まれている。
【００７１】
詳しくは、この金属製の円形のプレート１３６には一対の貫通のボルト孔１４０が設けられていて、これらボルト孔１４０を長寸ボルト１０２が貫通して取付穴挿通部４６の上記ボルト挿通孔１１０に挿通されている。
ここで各ボルト孔１４０は、取付穴挿通部４６の上記ボルト挿通孔１１０に対応する位置にそれぞれ設けられている。
【００７２】
この金属製のプレート１３６にはまた、取付穴挿通部４６における一対の挿通孔１０４にそれぞれ対応する位置において、流入管３０を通し且つこれを径方向に拘束固定するための貫通の固定孔１４２が設けられており、これら固定孔１４２を上記一対の流入管１３０が貫通して取付穴挿通部４６の上記挿通孔１０４に挿通されている。
【００７３】
尚プレート１３６には、周方向所定箇所に位置決用の切欠き１４４が設けられている。
一方上記環状の突出部１３８の内周側には、周方向所定箇所に位置決用の突起１４６が設けられており、これら突起１４６と切欠き１４４との係合によって、プレート１３６の回転方向位置が規定されている。
【００７４】
次に本例の水栓の組付手順を図２６〜図３１に基づいて以下に説明する。
本例では、図２６に示しているように先ず銅管から成る一対の流入管３０のそれぞれを底部５０に対して溶接（ろう付）により接合し一体化しておく。
【００７５】
そしてその状態で、図２７に示しているようにこれら底部５０及び流入管３０を樹脂ボデー４８に対して組み付ける。
具体的には、一対の流入管３０のそれぞれを取付穴挿通部４６に挿通しながら底部５０をハウジング４４の内部に嵌め入れる。
このとき、取付穴挿通部４６における一対の挿通孔１０４は中心部の貫通孔１３４によって連続した１つの孔を形成しているため、底部５０に対し一対の流入管３０のそれぞれを溶接接合した状態で、それらを円滑に取付穴挿通部４６に挿通作業することができる。
【００７６】
その後金属製のプレート１３６を取付穴挿通部４６の底面に嵌め合せた上、長寸ボルト１０２をそのプレート１３６のボルト孔１４０を貫通して取付穴挿通部４６のボルト挿通孔１１０に挿通し、上端部を底部５０の雌ねじ孔１００にねじ込む。
ここにおいて底部５０及び一対の流入管３０のそれぞれが、樹脂ボデー４８に対し強固に固定状態に組み付けられる。
【００７７】
その後図２８及び図２９に示しているように、弁ユニット５２をハウジング４４内部に挿入した後、ハウジング４４の図２８中上端部（図２９中下端部）に対してハウジングキャップ６４をねじ込む。
ここにおいて弁ユニット５２がハウジング４４内部において図２８中下向き（図２９中上向き）に、つまり底部５０の上面に対して強く押し付けられた状態に組付固定される。
【００７８】
本例では、これらの作業と並行してエルボ１２０をハウジング４４に一体に成形した分岐口１１８に弾性クリップ１２２にて接続しておく。図３０はそのエルボ１２０をハウジング４４の分岐口１１８に接続した後の状態を示している。
続いて図３０に示しているようにハウジング４４及びハウジングキャップ６４に化粧カバー６６を被せて固定する。図３１はこのようにして化粧カバー６６をハウジング４４及びハウジングキャップ６４に組み付けた状態を示している。
【００７９】
本例によれば、ハウジング４４の上下中間位置から側方に突出する状態で筒状の分岐口１１８が設けられているにも拘わらず、化粧カバー６６をハウジング４４に対し支障なく且つ良好に固定することができる。
【００８０】
また化粧カバー６６に下端が開放形状の切欠き１３２を設けているにも拘わらず、その化粧カバー６６を上部においてハンドルキャップ６４を介しハウジング４４に固定するようになしているため、化粧カバー６６の固定に際してその下部が広がった形状、即ち裾広がり形状となってしまうのを回避することができる。
【００８１】
またハウジング４４に化粧カバー６６の切欠き１３２と嵌り合ってその切欠き１３２を埋める平板部１３０が形成してあるため、化粧カバー６６取付状態での外観，美観を良好となすことができる。
【００８２】
以上本発明の実施例を詳述したが、本発明は弁ユニットを内蔵したハウジング及びハウジングキャップの外側に化粧カバーを備えた水栓であれば上例以外の他の様々な形態の水栓であっても適用が可能である等、本発明はその主旨を逸脱しない範囲において種々変更を加えた形態で構成可能である。
【図面の簡単な説明】
【図１】本発明の一実施例であるホース収納式水栓の概略全体構成を示す図である。
【図２】同実施例における水栓本体の内部構造を周辺部とともに示す図である。
【図３】図２の各部材を分解して示す断面図である。
【図４】同実施例における化粧カバーの固定構造を示す図である。
【図５】同実施例における樹脂ボデーの構成を単体で示す図である。
【図６】同実施例における金属製の底部の構成を単体で示す図である。
【図７】同実施例における弁ユニットを外観状態で単体で示す図である。
【図８】同実施例におけるハウジングキャップを単体で示す図である。
【図９】同実施例における化粧カバーを単体で示す図である。
【図１０】同実施例の組付手順の一部を示す図である。
【図１１】図１０に続く組付手順の説明図である。
【図１２】図１１に続く組付手順の説明図である。
【図１３】図１２の組付手順を下方から示した図である。
【図１４】図１２及び図１３に続く組付手順の説明図である。
【図１５】図１４に続く組付手順の説明図である。
【図１６】本発明の他の実施例であるホース露出式水栓の概略全体構成を示す図である。
【図１７】同実施例の水栓本体の内部構造を周辺部とともに示す図である。
【図１８】図１７の各部材を分解して示す断面図である。
【図１９】同実施例の化粧カバーの固定構造を示す図である。
【図２０】同実施例のエルボの接続構造の説明図である。
【図２１】同実施例における樹脂ボデーの構成を単体で示す図である。
【図２２】同実施例における底部の構成を単体で示す図である。
【図２３】同実施例における弁ユニットを外観状態で単体で示す図である。
【図２４】同実施例におけるハウジングキャップを単体状態で示す図である。
【図２５】同実施例における化粧カバーを単体で示す図である。
【図２６】同実施例における組付手順の一部を示す説明図である。
【図２７】図２６に続く組付手順の説明図である。
【図２８】図２７に続く組付手順の説明図である。
【図２９】図２８の組付手順を下方から示した図である。
【図３０】図２８及び図２９に続く組付手順の説明図である。
【図３１】図３０の化粧カバーを組み付けた後の状態を示す図である。
【図３２】従来のホース収納式水栓の概略全体構成を示す図である。
【図３３】図３２の水栓本体の内部構造を周辺部とともに示す図である。
【図３４】図３３の各部材を分解して示す図である。
【符号の説明】
１２  水栓本体
４４  ハウジング
５２  弁ユニット
６４  ハウジングキャップ
６６  化粧カバー
７８  水室
８０  リブ
８４  位置決面
１１２  位置決リブ
１１４  カバー固定用リブ
１１８  分岐口
１３０  平板部
１３２  切欠き
【図１】
0003708848.tif 000002
【図２】
0003708848.tif 000003
【図３】
0003708848.tif 000004
【図４】
0003708848.tif 000005
【図５】
0003708848.tif 000006
【図６】
0003708848.tif 000007
【図７】
0003708848.tif 000008
【図８】
0003708848.tif 000009
【図９】
0003708848.tif 000010
【図１０】
0003708848.tif 000011
【図１１】
0003708848.tif 000012
【図１２】
0003708848.tif 000013
【図１３】
0003708848.tif 000014
【図１４】
0003708848.tif 000015
【図１５】
0003708848.tif 000016
【図１６】
0003708848.tif 000017
【図１７】
0003708848.tif 000018
【図１８】
0003708848.tif 000019
【図１９】
0003708848.tif 000020
【図２０】
0003708848.tif 000021
【図２１】
0003708848.tif 000022
【図２２】
0003708848.tif 000023
【図２３】
0003708848.tif 000024
【図２４】
0003708848.tif 000025
【図２５】
0003708848.tif 000026
【図２６】
0003708848.tif 000027
【図２７】
0003708848.tif 000028
【図２８】
0003708848.tif 000029
【図２９】
0003708848.tif 000030
【図３０】
0003708848.tif 000031
【図３１】
0003708848.tif 000032
【図３２】
0003708848.tif 000033
【図３３】
0003708848.tif 000034
【図３４】
0003708848.tif 000035